(57)【特許請求の範囲】
【請求項１】
一対の箸からなり、
前記箸の持手部は、箸の軸心に直交する横断面での外形形状が、ほぼ正方形形状に形成され、
前記箸の箸先部は、箸の軸心に直交する横断面での外形形状が、前記持手部の横断面ほぼ正方形形状の四辺に対して傾斜するとともに互いに平行となる二本の切り線を有して、それら切り線間の寸法である厚さ方向の寸法が、その厚さ方向に直交する直交方向の寸法よりも小さく形成され、
前記箸には、前記持手部の横断面ほぼ正方形形状の各辺によって形成される各面に、前記切り線によって形成される切り面の向きを示す標示が付され、その持手部の各面に付される標示は、持手部を上にしその各面を正面として、前記切り面が左に見える場合には、「／」の記号からなり、前記切り面が右に見える場合には、「＼」の記号からなって、前記切り面の向きを斜め内側に向けたり斜め外側に向けたりとその向きを選択するとき、前記標示を指標にして、前記切り面を所要の向きに向けることができるようにしたことを特徴とする、箸。
【請求項２】
前記切り線は、前記持手部の横断面ほぼ正方形形状の一辺に対してほぼ４５°の角度で傾斜することを特徴とする、請求項１に記載の箸。
【請求項３】
前記箸先部は、前記切り面間の周面が、箸の軸心に直交する横断面において外に凸となる弧状に形成されることを特徴とする、請求項１または２に記載の箸。
【発明の詳細な説明】
【技術分野】
【０００１】
この発明は、使い勝手のよい箸に関するものである。
【背景技術】
【０００２】
従来、食べ物を摘み易くした箸として、箸先部を横断面ほぼ正方形形状とした箸があった（特許文献１参照）。この箸は、持手部が横断面ほぼ正方形形状を有するとともに、箸先部が横断面ほぼ正方形形状を有し、それら横断面ほぼ正方形形状が、軸回りに４５°角度を振った位置関係にあった。これにより、箸を持ったとき、持手部において、横断面ほぼ正方形状の面同士が向かい合うのに対し、箸先部においては、横断面ほぼ正方形形状の角部同士が向かい合うため、箸先部の表面が滑らかであっても、その箸先部の角部で食べ物を容易に摘むことができた。
【先行技術文献】
【特許文献】
【０００３】
【特許文献１】実用新案登録第３１８２５４４号公報
【発明の概要】
【発明が解決しようとする課題】
【０００４】
ところで、前記従来の箸は、食べ物を滑らすことなく容易に摘むことができて、食べ物を摘むには適していたが、食べ物を掬ったり、かき混ぜたりする場合には、必ずしも適しているとはいえなかった。
【０００５】
この発明は、上記した従来の欠点を解決するためになされたものであり、その目的とするところは、食べ物を摘む場合に限らず、食べ物を掬ったり、あるいはかき混ぜたりする場合に、容易にその使い分けをすることができ、使い勝手に優れる箸を提供することにある。
【課題を解決するための手段】
【０００６】
この発明に係る箸は、前記目的を達成するために、次の構成からなる。すなわち、
請求項１に記載の発明に係る箸は、一対の箸からなり、前記箸の持手部は、箸の軸心に直交する横断面での外形形状が、ほぼ正方形形状に形成される。一方、前記箸の箸先部は、箸の軸心に直交する横断面での外形形状が、前記持手部の横断面ほぼ正方形形状の四辺に対して傾斜するとともに互いに平行となる二本の切り線を有して、それら切り線間の寸法である厚さ方向の寸法が、その厚さ方向に直交する直交方向の寸法よりも小さく形成される。そして、前記箸には、前記持手部の横断面ほぼ正方形形状の各辺によって形成される各面に、前記切り線によって形成される切り面の向きを示す標示が付され、その持手部の各面に付される標示は、持手部を上にしその各面を正面として、前記切り面が左に見える場合には、「／」の記号からなり、前記切り面が右に見える場合には、「＼」の記号からなって、前記切り面の向きを斜め内側に向けたり斜め外側に向けたりとその向きを選択するとき、前記標示を指標にして、前記切り面を所要の向きに向けることができるようにした。
【０００７】
この箸によると、箸の持手部が横断面ほぼ正方形形状をしているため、一対の箸を持ったとき、持手部においては、横断面ほぼ正方形形状の辺によって形成される面同士が向かい合う。そして、この持手部の横断面ほぼ正方形形状に対し、箸先部では、横断面での外形形状は、持手部のほぼ正方形形状の四辺に対して傾斜するとともに互いに平行となる切り線を有しており、それら切り線間の寸法である厚さ方向の寸法が、その厚さ方向に直交する直交方向の寸法よりも小さく形成されている。このため、一対の箸を持ったとき、箸先部の切り線によって形成される切り面が斜めの方向を向き、箸先部における、切り面との境となる角部が互いに向き合うこととなる。そこで、これら角部で、食べ物を滑らすことなく容易に摘むことができる。また、一対の箸で、食べ物を掬ったり、あるいはかき混ぜたりする場合に、箸をその軸心回りに９０°単位で回転させることで、切り面の向きを斜め内側に向けたり斜め外側に向けたりして、状況に応じて適した向きを選択することができる。そして、このとき、箸には、切り面の向きを示す標示が付されており、この標示を指標にして、切り面を簡単に所要の向きに向けることができる。また、標示は、持手部の各面に付され、その標示は、持手部を上にしその各面を正面として、前記切り面が左に見える場合には、「／」の記号からなり、前記切り面が右に見える場合には、「＼」の記号からなる。すなわち、箸の正面視における標示の形と、底面視における箸先部の形（つまり、切り面の向き）が一致し、標示を見ることで、切り面の向きを容易に知ることができる。
【０００８】
また、請求項２に記載の発明に係る箸は、請求項１に記載の箸において、前記切り線は、前記持手部の横断面ほぼ正方形形状の一辺に対してほぼ４５°の角度で傾斜する。
【０００９】
また、請求項３に記載の発明に係る箸は、請求項１または２に記載の箸において、前記箸先部は、前記切り面間の周面が、箸の軸心に直交する横断面において外に凸となる弧状に形成される。
【００１０】
【００１１】
【発明の効果】
【００１２】
この発明に係る箸によれば、食べ物を摘む場合に限らず、食べ物を掬ったり、あるいはかき混ぜたりする場合に、箸に付された標示を指標にして、切り面を所要の向きに向けることで、容易にその使い分けをすることができ、使い勝手に優れる。そして、標示は、持手部の各面に付され、その標示は、持手部を上にしその各面を正面として、切り面が左に見える場合には、「／」の記号からなり、切り面が右に見える場合には、「＼」の記号からなるので、箸の正面視における標示の形と、底面視における箸先部の形（つまり、切り面の向き）が一致し、標示を見ることで、切り面の向きを容易に知ることができる。
【図面の簡単な説明】
【００１３】
【図１】この発明の一実施の形態の、箸の正面図である。
【図２】箸の斜視図である。
【図３】（Ａ）は、図１におけるＡ−Ａ線による拡大端面図、（Ｂ）は、図１におけるＢ−Ｂ線による拡大端面図、（Ｃ）は、拡大底面図である。
【図４】箸で食べ物を摘んだときの状態を示す、図３（Ｂ）に相当する位置での拡大端面図である。
【図５】箸で食べ物を掬ったときの状態を示す、図３（Ｂ）に相当する位置での拡大端面図である。
【図６】箸で食べ物を押えたときの状態を示す、図３（Ｂ）に相当する位置での拡大端面図である。
【図７】箸で食べ物を摘んだときの状態の他の例を示す、図３（Ｂ）に相当する位置での拡大端面図である。
【図８】箸で食べ物を摘んだときの状態のさらに他の例を示す、図３（Ｂ）に相当する位置での拡大端面図である。
【図９】この発明に係る箸の他の実施の形態の、図３（Ｂ）相当図である。
【図１０】この発明に係る箸のさらに他の実施の形態の、図２相当図である。
【発明を実施するための形態】
【００１４】
以下、この発明に係る箸を実施するための形態を図面に基づいて説明する。
【００１５】
図１〜図６は、本発明に係る箸の一実施の形態を示す。箸は、一対の箸１、１からなり、箸１の持手部２は、箸１の軸心１ａに直交する横断面での外形形状が、ほぼ正方形形状に形成される（図１、図３（Ａ）参照）。そして、箸１の箸先部３は、箸１の軸心１ａに直交する横断面での外形形状が、持手部２の横断面ほぼ正方形形状の四辺２ａ、２ａに対して傾斜するとともに互いに平行となる二本の切り線３ａ、３ａを有して、それら切り線３ａ、３ａ間の寸法である厚さ方向の寸法Ｘが、その厚さ方向に直交する直交方向の寸法Ｙよりも小さく形成される（図１、図３（Ｂ）参照）。そこで、箸１には、切り線３ａによって形成される切り面３ｂ（つまり、横断面毎の切り線３ａ、３ａが連なって形成される切り面）の向きを示す標示４が付される（図１、図２参照）。
【００１６】
詳細には、箸先部３の横断面における切り線３ａは、持手部２の横断面ほぼ正方形形状の一辺２ａに対してほぼ４５°の角度で傾斜する。そして、箸先部３は、切り線３ａによって形成される切り面３ｂ間の周面３ｃが、箸１の軸心１ａに直交する横断面において外に凸となる弧状に形成される。
【００１７】
具体的には、箸１は、例えば、木とか竹等の天然の材料からなり、図示実施の形態においては、横断面ほぼ正方形形状であって、その横断面の大きさが変化しない角柱状の箸素材を加工して形成される。つまり、この箸素材に対し、箸先部３が、先細となる円錐台状に切削され、さらに、前記切り面３ｂ、３ｂを形成するように、横断面ほぼ正方形形状の箸素材の対角的に位置する一対の角部側にある部分が切削される。そして、この切削により、切り面３ｂ、３ｂが施された箸先部３は、前記厚さ方向の寸法Ｘが箸先部３の先端ほど小となるテーパー状に形成される。こうして、切り面３ｂ、３ｂが形成され、それら切り面３ｂ、３ｂ間の周面３ｃ、３ｃは、箸１の軸心１ａに直交する横断面において、共通する円の一部となる。なお、持手部２は、箸素材の形状がそのまま表れるが、図示実施の形態においては、天端は、高さの低いほぼ正四角錐形状となるように切削される。そして、必要に応じて、箸１の全体に、あるいは部分的に、塗装が施される。
【００１８】
ここで、前記標示４は、持手部２の横断面ほぼ正方形形状の各辺２ａによって形成される各面２ｂに付される。そして、この持手部２の各面２ｂに付される標示４は、持手部２を上にしてその各面２ｂを正面として、前記切り面３ｂが左に見える場合には、「／」（スラッシュ）の記号からなり、前記切り面３ｂが右に見える場合には、「＼」（バックスラッシュ）の記号からなる（図１、図３（Ｃ）参照）。なお、これら標示４、４は、持手部２の上端部分に設けられるのが好ましいが、下部とか中間部分に設けられてもよい。
【００１９】
次に、以上の構成からなる箸１の作用効果について説明する。この箸１によると、箸１の持手部２が横断面ほぼ正方形形状をしているため、一対の箸１、１を持ったとき、持手部２、２においては、横断面ほぼ正方形形状の辺２ａ、２ａによって形成される面２ｂ、２ｂ同士が向かい合う。そして、この持手部２の横断面ほぼ正方形形状に対し、箸先部３では、横断面での外形形状は、持手部２のほぼ正方形形状の四辺２ａ、２ａに対して傾斜するとともに互いに平行となる切り線３ａ、３ａを有しており、それら切り線３ａ、３ａ間の寸法である厚さ方向の寸法Ｘが、その厚さ方向に直交する直交方向の寸法Ｙよりも小さく形成されている。
【００２０】
このため、一対の箸１、１を持ったとき、箸先部３、３の切り線３ａ、３ａによって形成される切り面３ｂ、３ｂが斜めの方向を向き、箸先部３、３における、切り面３ｂ、３ｂとの境となる角部３ｄ、３ｄが互いに向き合うこととなる。そこで、これら角部３ｄ、３ｄで、食べ物５を滑らすことなく容易に摘むことができる（図４参照）。
【００２１】
また、一対の箸１、１で、食べ物５を掬ったり、押えたり、あるいはかき混ぜたりする場合に、箸１をその軸心１ａ回りに９０°単位で回転させることで、切り面３ｂの向きを斜め内側に向けたり斜め外側に向けたりして、状況に応じて適した向きを選択することができる。すなわち、食べ物５を掬う場合には、一対の箸１、１の両方を、正面に見える切り面３ｂ、３ｂの向きを斜め内側に向けることで、それら切り面３ｂ、３ｂで食べ物５を容易に掬うことができる（図５参照）。そして、食べ物５を押える場合には、一対の箸１、１の両方を、正面に見える切り面３ｂ、３ｂの向きを斜め外側に向けることで、それらの裏側の切り面３ｂ、３ｂで食べ物５を容易に押えることができる（図６参照）。また、食べ物５をかき混ぜる場合には、一対の箸１、１の両方を、正面に見える切り面３ｂ、３ｂの向きを斜め内側に向けることで、それら切り面３ｂ、３ｂで食べ物を掬うようにして容易にかき混ぜることができ、また、一対の箸１、１の両方を、正面に見える切り面３ｂ、３ｂの向きを斜め外側に向けることで、それらの裏側の切り面３ｂ、３ｂで食べ物を押えるようにして容易にかき混ぜることができる。
【００２２】
そして、このとき、箸１には、切り面３ｂの向きを示す標示４が付されており、この標示４を指標にして、切り面３ｂを簡単に所要の向きに向けることができる。すなわち、この箸１によれば、食べ物５を摘む場合に限らず、食べ物５を掬ったり、押えたり、あるいはかき混ぜたりする場合に、箸１に付された標示４を指標にして、切り面３ｂを所要の向きに向けることで、容易にその使い分けをすることができ、使い勝手に優れる。
【００２３】
また、持手部２の各面２ｂに付される標示４は、持手部２を上にしてその各面２ｂを正面として、前記切り面３ｂが左に見える場合には、「／」の記号からなり、前記切り面３ｂが右に見える場合には、「＼」の記号からなる（図１、図３（Ｃ）参照）。すなわち、箸１の正面視における標示の形と、底面視における箸先部３の形（つまり、切り面３ｂの向き）が一致し、標示４を見ることで、切り面３ｂの向きを容易に知ることができる。
【００２４】
また、箸先部３は、切り面３ｂ、３ｂ間の周面３ｃ、３ｃが、箸１の軸心１ａに直交する横断面において外に凸となる弧状に形成されている。このため、箸先部３における、切り面３ｂとの境となる角部３ｄ、つまり、切り面３ｂと周面３ｃとの境界の角部３ｄは、その角度が緩くなる。したがって、この箸１は、口触りがよく、また、磨耗に強く耐久性が向上する。
【００２５】
なお、本発明は、上述した実施の形態に限定されるわけではなく、その他種々の変更が可能である。例えば、箸１は、横断面の大きさが変化しない角柱状（正四角柱状）の箸素材を加工して形成されるが、先細となる角錐台状（正四角錐台状）の箸素材を用いて加工してもよい。そして、この場合には、持手部２を含めた箸１の全体に渡って先細となるように形成される。
【００２６】
また、箸１は、図示実施の形態とは異なり、合成樹脂による成形品であってもよいし、また、金属製であってもよく、箸１の素材は、特定の素材に限定されることはない。
【００２７】
また、持手部２は、横断面での外形形状が、ほぼ正方形形状に形成されている。このほぼ正方形形状とは、正方形形状を含むものであるが、その各辺２ａが若干丸みを帯びていても構わない。
【００２８】
また、箸先部３における切り線３ａは、持手部２の横断面ほぼ正方形形状の一辺２ａに対して傾斜する角度が、４５°でなくともよいが、一対の箸１、１におけるそれぞれの箸１、１を同じ形の箸とすることを考慮すると、ほぼ４５°であるのが好ましい。
【００２９】
また、食べ物５を摘む場合に、一対の箸１、１の切り面３ｂ、３ｂの向きを、図４においては、同じ方向に向けたが、図７および図８に示すように、異なる方向に向けてもよく、この場合にも、角部３ｄ、３ｄで、食べ物５を滑らすことなく容易に摘むことができる。
【００３０】
また、箸先部３は、切り面３ｂ、３ｂ間の周面３ｃ、３ｃが、横断面において外に凸となる弧状に形成されているが、図９に示すように、平坦に形成されてもよい。
【００３１】
また、標示４は、「／」と「＼」との記号からなるが、これら記号に替えて、数字、例えば「１」と「２」との数字、あるいは、文字、図形を用いてもよく、また、一方を、記号、例えば「●」の記号、あるいは、図形とし、他方を、何も付さないようにすることで、両者を区別してもよい。また、標示４の「／」と「＼」との記号を、互いに異なる色で表してもよい。
【００３２】
また、標示４は、持手部２の各面２ｂに付されなくとも、箸１の天面とか、箸先部３に付されてもよい。特に、箸先部３においては、切り面３ｂに色彩とか輪郭線を付し、その色彩とか輪郭線を標示４としてもよい。
【００３３】
また、箸１全体を塗装した上に、さらに、図１０に示すように、箸先部３（詳しくは、箸先部３の先端側）に、漆６を塗り重ねるようにしてもよい。
【符号の説明】
【００３４】
１  箸
１ａ  軸心
２  持手部
２ａ  辺
２ｂ  面
３  箸先部
３ａ  切り線
３ｂ  切り面
３ｃ  周面
４  標示
Ｘ  厚さ方向の寸法
Ｙ  直交方向の寸法
【図１】
0005960100.tif 000002
【図２】
0005960100.tif 000003
【図３】
0005960100.tif 000004
【図４】
0005960100.tif 000005
【図５】
0005960100.tif 000006
【図６】
0005960100.tif 000007
【図７】
0005960100.tif 000008
【図８】
0005960100.tif 000009
【図９】
0005960100.tif 000010
【図１０】
0005960100.tif 000011